(57)【要約】【課題】構造上複雑になり難く、且つ、意匠性を確保しながら、十分な採光機能及び通気機能を有するドアを提供する。【解決手段】ドア本体２と、縦長で透光性を有する採光パネル３を備える。ドア本体２にその厚み方向に貫通する縦長の通気開口部２０が設けられる。採光パネル３が通気開口部２０を閉じる閉位置と通気開口部２０を開く開位置との間で縦軸回りに回動可能に設けられる。採光パネル３はその幅方向における一端側の部分を後側に押し操作することで閉位置から開位置側に回動されるものである。採光パネル３の前記一端側とは反対側の部分に前側に引き操作するための指掛部３１７が設けられる。【選択図】図１
2015098712.tif 000002
【特許請求の範囲】
【請求項１】
ドア本体と、縦長で透光性を有する採光パネルを備え、前記ドア本体にその厚み方向に貫通する縦長の通気開口部が設けられ、前記採光パネルが前記通気開口部を閉じる閉位置と前記通気開口部を開く開位置との間で縦軸回りに回動可能に設けられ、前記採光パネルはその幅方向における一端側の部分を後側に押し操作することで前記閉位置から前記開位置側に回動されるものであり、前記採光パネルの前記一端側とは反対側の部分に前側に引き操作するための指掛部が設けられたことを特徴とするドア。
【請求項２】
前記通気開口部が前記ドア本体に上下に並べて設けられ、前記採光パネルが前記各通気開口部に夫々設けられ、前記指掛部が上側の前記採光パネルの下端部と下側の前記採光パネルの上端部とに設けられたことを特徴とする請求項１に記載のドア。
【請求項３】
前記採光パネルが、縦長で透光性を有する透光板と、この透光板の縁部に設けられた縁材とを備え、前記指掛部が前記縁材に設けられたことを特徴とする請求項１又は請求項２に記載のドア。
【発明の詳細な説明】
【技術分野】
【０００１】
本発明は採光機能を有するドアに関する。
【背景技術】
【０００２】
特許文献１には、ドア本体に形成された開口部に透光性を有するパネルを装着して、採光機能を付与したドアが開示されている。
【先行技術文献】
【特許文献】
【０００３】
【特許文献１】特開２００９−２６４０７４号公報
【発明の概要】
【発明が解決しようとする課題】
【０００４】
ところで、特許文献１に開示されたドアは、パネルとこのパネルが配置される開口部の側面に設けられたエッジ部材との間に通気路が形成されている。しかし、通気路だけでは十分な通気機能を確保し難く、部屋を十分に換気するには、ドアを開いて建物開口部を開放する必要がある。しかし、このようにドアを開くと、外部から建物開口部を通して部屋の広い範囲が見えやすくなる。このため、リビングや寝室等、私的な部屋を見られることに抵抗のある人等は、不快に感じる可能性がある。
【０００５】
ここで、ドアに前記パネルに加えてルーバーを設けることで、ドアに採光機能と通気機能を付与することが考えられる。しかし、この場合は、ドアをシンプルな外観とすることが難しく、また、構造上複雑になる恐れがある。また、パネルとルーバーの両者を限られた大きさのドアに設ける必要があるため、ドアの意匠性を確保しながら、十分な採光量と十分な通気量を確保することも難しい。
【０００６】
そこで、本発明は、構造上複雑になり難く、且つ、意匠性を確保しながら、十分な採光機能及び通気機能を有するドアを提供することを目的とする。
【課題を解決するための手段】
【０００７】
本発明のドアは、ドア本体と、縦長で透光性を有する採光パネルを備え、前記ドア本体にその厚み方向に貫通する縦長の通気開口部が設けられ、前記採光パネルが前記通気開口部を閉じる閉位置と前記通気開口部を開く開位置との間で縦軸回りに回動可能に設けられ、前記採光パネルはその幅方向における一端側の部分を後側に押し操作することで前記閉位置から前記開位置側に回動されるものであり、前記採光パネルの前記一端側とは反対側の部分に前側に引き操作するための指掛部が設けられたことを特徴とする。
【０００８】
また、前記通気開口部が前記ドア本体に上下に並べて設けられ、前記採光パネルが前記各通気開口部に夫々設けられ、前記指掛部が上側の前記採光パネルの下端部と下側の前記採光パネルの上端部とに設けられることが好ましい。
【０００９】
また、前記採光パネルが、縦長で透光性を有する透光板と、この透光板の縁部に設けられた縁材とを備え、前記指掛部が前記縁材に設けられることが好ましい。
【発明の効果】
【００１０】
本発明に係るドアは、採光パネルを透して、部屋に光を採り入れることができる。また、利用者は、採光パネルを開位置に配置することで、通気開口部を通して部屋の換気を行うことができ、採光パネルを閉位置に配置することで、通気開口部を塞ぐことができる。すなわち、本発明に係るドアは、透光性を有する採光パネルを通気開口部を開閉する部材として用いたことにより、通気機能と採光機能の両者を有している。このため、通気機能と採光機能の両機能を確保しながら、外観をシンプルにすることができ、また、構造を簡単にすることができる。
【図面の簡単な説明】
【００１１】
【図１】本発明の実施形態のドアの中間連結材及びその近傍部分を示す斜視図である。
【図２】同上のドアの正面図である。
【図３】同上のドアの上連結材及びその近傍部分を示す斜視図である。
【図４】同上のドアの分解斜視図である。
【図５】同上のドアのドア材の上端部を示す斜視図である。
【図６】同上のドアの中間連結材を示す斜視図である。
【図７】同上のドアの固定具、付加ユニット、及びパネルユニットの分解斜視図である。
【図８】同上のドアの採光パネルの斜視図である。
【図９】同上のドアの横枠材を示す斜視図である。
【図１０】同上のドアの付加ユニットの斜視図である。
【図１１】同上の付加ユニットの分解斜視図である。
【図１２】同上のドアの固定具を取り付ける前の様子を示した斜視図である。
【図１３】同上のドアの採光パネルの下端部及びその近傍部分を示し、（ａ）は採光パネルを閉位置に配置した状態を示す斜視図であり、（ｂ）は採光パネルを開位置に配置した状態を示す斜視図である。
【図１４】同上のドアの採光パネル及びその近傍部分における水平断面図であり、（ａ）は採光パネルを閉位置に配置した状態を示し、（ｂ）は採光パネルを開位置に配置した状態を示している。
【図１５】同上のドアの遮蔽部及びその近傍部分における水平断面図である。
【図１６】同上の付加ユニットの動作を示す説明図であり、（ａ）は採光パネルが閉位置に配置されたときの状態を示し、（ｂ）は採光パネルが閉位置と開位置の間に配置されたときの状態を示し、（ｃ）は採光パネルが開位置に配置されたときの状態を示している。
【図１７】第二実施形態のドアの遮蔽部部分における水平断面図である。
【図１８】第三実施形態のドアの中間連結材及びその近傍部分を示す斜視図である。
【発明を実施するための形態】
【００１２】
以下、添付図面に基づいて本発明の実施形態につき説明する。
【００１３】
（第一実施形態）
図２には本実施形態のドア１の正面図が示されている。
【００１４】
ドア１は建物内に設けられる室内ドアであって、例えば部屋の出入口を開閉するために用いられる。ドア１は、図示しないドア枠により構成された建物開口部に回動可能に設けられる開き戸である。以下では、ドア１の厚み方向を前後方向、幅方向を左右方向として説明する。
【００１５】
ドア１はドア本体２と採光パネル３を備えている。ドア本体２には、換気装置として、通気開口部２０を備えたパネルユニット５が設けられている。これにより、ドア本体２には、前後方向に貫通する通気開口部２０が設けられている。パネルユニット５は採光パネル３を備えている。採光パネル３は、通気開口部２０を開閉することができるように、ドア本体２に対して回動可能に設けられている。
【００１６】
ドア本体２は、図４に示される左右のドア材２１と、両ドア材２１を連結する連結材２２とを備えている。
【００１７】
各ドア材２１は、いわゆるフラッシュ構造を有する板状のパネル材であって、正面視縦長矩形状に形成されている。各ドア材２１は、図１４に示されるように芯材２３の表面を表面材２４で被覆したものである。芯材２３は木製であり、正面視矩形枠状に形成されている。
【００１８】
各ドア材２１の表面材２４は、板材２４０と、板材２４０の表面に積層された化粧シート２４１で構成されている。化粧シート２４１は合成樹脂製であって、その表面には木目模様が施されている。各ドア材２１の板材２４０の裏面には折曲溝が形成されている。各ドア材２１の表面材２４は、折曲溝を境にして折り曲げることで、芯材２３の外周面に沿って設けられている。
【００１９】
図２に示されるように、戸先側のドア材２１は、ドア本体２の戸先側の端部を構成している。吊元側のドア材２１は、戸先側のドア材２１よりも幅が広く、ドア本体２の過半部（戸先側部分を除く部分）を構成している。
【００２０】
各ドア材２１の上下両端面には、図５に示されるように、他方のドア材２１側の側方に開口した嵌込溝部２１０が形成されている。各ドア材２１の他方のドア材２１側の側面には、縦長の差込溝部２１１が形成されている。各ドア材２１の差込溝部２１１は、ドア材２１の嵌込溝部２１０が形成された上下両端部を除く部分に亘って形成されている。各ドア材２１の差込溝部２１１は、その上下両端が対応する嵌込溝部２１０に通じている。
【００２１】
図２に示されるように、両ドア材２１の上端部同士、下端部同士、及び中間部同士は、各々連結材２２によって連結されている。以下、特に区別する場合には、上側の連結材２２、下側の連結材２２、及びその間の連結材２２を、夫々、上連結材２２０、下連結材２２２、及び中間連結材２２１と記載する。
【００２２】
ドア本体２の戸先側の上部には、両ドア材２１、上連結材２２０、及び中間連結材２２１によって囲まれた通気開口部２０が設けられている。また、ドア本体２の戸先側の下部には、両ドア材２１、中間連結材２２１、及び下連結材２２２によって囲まれた通気開口部２０が設けられている。
【００２３】
すなわち、本実施形態では、ドア本体２の戸先側にドア本体２の上下方向の略全長に亘るように通気開口部２０が上下に２つ並べて設けられ、各通気開口部２０に採光パネル３が設けられている。上下の採光パネル３のうち、いずれか一方の採光パネル３を選択的に開くことで、プライベート性を確保しながら換気が行えるようになっている。
【００２４】
中間連結材２２１は、図６に示されるように、木製の板材４０と、合成樹脂製の幕板材４１とを備えている。板材４０は縦長矩形状に形成されている。幕板材４１は板材４０の前後両面に取り付けられている。各幕板材４１は、板材４０の幅方向の両端部を除く部分を覆っている。各幕板材４１の表面には、木目模様が施されている。このため、中間連結材２２１は、ドア材２１に模した木目調の外観を有している。
【００２５】
各幕板材４１の上下両端部は、板材４０よりも上下方向の外側に向かって突出している。これにより、中間連結材２２１の上下両面には、板材４０の端面と両幕板材４１とで構成された左右方向に延びる凹部２２３が形成されている。
【００２６】
板材４０の両側端面には、ダボ４２が上下方向に複数設けられている。各ダボ４２は、板材４０の幅方向の端面から外側方に向かって突出している。
【００２７】
板材４０の両側端部は、対応するドア材２１の差込溝部２１１（図４等参照）の長さ方向の中間部に嵌め込まれている。図示は省略するが、中間連結材２２１の各ダボ４２は、対応する差込溝部２１１の溝奥部に形成されたダボ穴に嵌め込まれている。これにより、図２に示されるように、両ドア材２１の上下方向の中間部同士が、中間連結材２２１によって連結されている。
【００２８】
中間連結材２２１の上方及び下方の夫々には、パネルユニット５が設けられている。以下、特に区別する場合には、上下のパネルユニット５のうち、上側のパネルユニット５を上側パネルユニット５０と記載し、下側のパネルユニット５を下側パネルユニット５１と記載する。
【００２９】
図４に示されるように、各パネルユニット５は、縦長の枠体６と、枠体６の内側に配置されて、枠体６に対して縦軸回りに回動可能に取り付けられた縦長の採光パネル３とを備えている。ここで、縦軸回りとは、採光パネル３の回動軸方向が縦方向（上下方向）と平行であることを意味する。
【００３０】
採光パネル３は透光性を有している。採光パネル３は、図８に示されるように、透光性を有する縦長平板状の透光板３０と、透光板３０を囲んで保持したパネル枠３１とで構成されている。なお、前記透光性を有する透光板３０とは、透明なものだけに限られず、磨りガラス等の半透明あるいは不透明なものも含まれる。
【００３１】
透光板３０はガラス板である。詳しくは、透光板３０は、二枚の板ガラスが合成樹脂膜を介して接着された合わせガラスである。合わせガラスは帯電性が低い。このため、採光パネル３には埃やごみ等が付き難くなっている。透光板３０は縦長矩形状に形成されている。
【００３２】
パネル枠３１は左右の縦枠３１０及び上下の横枠３１１で構成されている。左右の縦枠３１０及び上下の横枠３１１は、正面視縦長矩形状に枠組みされている。左右の縦枠３１０及び上下の横枠３１１は、夫々透光板３０の縁部に設けられる縁材を構成している。
【００３３】
左右の縦枠３１０は金属製であって、例えばアルミニウム製である。各縦枠３１０の水平断面形状は、上下方向に亘って一様である。各縦枠３１０は、図１４（ａ）に示されるように水平断面形状が透光板３０側に開口した溝状（略Ｃ字状）に形成されている。各縦枠３１０には透光板３０側に開口する縦溝部３１２が上下方向に亘って形成されている。各縦枠３１０の縦溝部３１２には、透光板３０の対応する側端部が嵌め込まれている。
【００３４】
図８に示されるように、各横枠３１１は両縦枠３１０の上端部間及び下端部間に架け渡されている。各横枠３１１は、図９に示されるように、固定部３１４及び遮蔽部３１５を備えている。
【００３５】
各横枠３１１の固定部３１４は、上下方向において遮蔽部３１５よりも透光板３０側に位置している。各横枠３１１の固定部３１４は、底片部３２０、前片部３２１、及び後片部３２２を備えている。底片部３２０は透光板３０の幅方向（左右方向）に長い。前片部３２１は底片部３２０の前縁部から透光板３０側に向かって突出している。後片部３２２は底片部３２０の後縁部から透光板３０側に向かって突出している。前片部３２１及び後片部３２２は、底片部３２０の長さ方向の両端部を除く部分に亘っており、前片部３２１と後片部３２２は対向している。
【００３６】
固定部３１４には、底片部３２０、前片部３２１、及び後片部３２２で構成された、透光板３０側に開口する横溝部３１６が形成されている。
【００３７】
各横枠３１１の横溝部３１６には、図７に示されるように、透光板３０の長さ方向の端部が嵌め込まれている。各横枠３１１の底片部３２０の長さ方向の両端部には、透光板３０側と反対側からビス３４が通されている。各横枠３１１は、これらビス３４を対応する縦枠３１０にねじ込むことにより、両縦枠３１０に連結されている。透光板３０は、左右の縦枠３１０で挟み込まれ且つ上下の横枠３１１で挟まれることで、パネル枠３１に保持されている。
【００３８】
さらに、上側の採光パネル３の下縁を構成する横枠３１１、及び下側の採光パネル３の上縁を構成する横枠３１１は、図９に示されるように、突片部３２３、及び指掛部３１７を備えている。
【００３９】
突片部３２３は、横枠３１１の前片部３２１の戸先側の端部、及び後片部３２２の吊元側の端部に設けられている。各突片部３２３は透光板３０側に向かって突出している。
【００４０】
各突片部３２３には指掛部３１７が形成されている。すなわち、上側の採光パネル３にあっては、下端部前面の戸先側端部と、下端部後面の吊元側端部の夫々に指掛部３１７が設けられている。また、下側の採光パネル３にあっては、上端部前面の戸先側端部と、上端部後面の吊元側端部の夫々に指掛部３１７が設けられている。
【００４１】
本実施形態の各指掛部３１７は、突片部３２３から前後方向において透光板３０側と反対側に突出した摘まみ部で構成されている。
【００４２】
各指掛部３１７は、柱状部３２４と膨大部３２５で構成されている。各指掛部３１７の柱状部３２４は円柱状に形成されており、突片部３２３から前後方向において透光板３０側と反対側に向かって突出している。各指掛部３１７の膨大部３２５は柱状部３２４の突出端に接続されている。各指掛部３１７の膨大部３２５は、柱状部３２４よりも直径の大きな短円柱状に形成されている。各指掛部３１７の膨大部３２５の外周部は、柱状部３２４の軸方向から見て柱状部３２４よりも外方に突出している。利用者は、指掛部３１７の膨大部３２５を指で摘まむことで、膨大部３２５の柱状部３２４側に指を掛けて、前後方向における透光板３０と反対側に引けるようになっている。
【００４３】
各横枠３１１の遮蔽部３１５は、平面視で透光板３０の幅方向に対して傾斜する方向に長く形成されている。各横枠３１１の遮蔽部３１５は、長さ方向の中間部が固定部３１４の底片部３２０の長さ方向の中間部に対して一体に接続されており、固定部３１４に対して移動不能である。各横枠３１１の底片部３２０の長さ方向の両端部は、遮蔽部３１５の幅方向の外側に向かって突出している。遮蔽部３１５と固定部３１４は、正面視における左右長さが略同じである。
【００４４】
図８に示されるように、採光パネル３において、上下方向の両端部に位置する遮蔽部３１５の間の部分、すなわち、透光板３０、両縦枠３１０、及び両横枠３１１の固定部３１４で構成された部分は、略縦長板状のパネル部３３となっている。両遮蔽部３１５とパネル部３３（各横枠３１１の固定部３１４）は、採光パネル３を正面から見たときの左右長さが略同じである。
【００４５】
各横枠３１１の遮蔽部３１５の長さ方向の中間部には、ドア本体２に縦軸回りに回動可能に支持される被支持部として、透光板３０と反対側に向かって突出した軸部３１８が形成されている。各横枠３１１の軸部３１８は、採光パネル３の回動軸となる。各横枠３１１の軸部３１８の軸心は、透光板３０の幅方向の中間部に位置している。具体的には、各パネルユニット５の軸部３１８の軸心は、透光板３０の水平断面において中心を通る中心線と一致している。
【００４６】
図４に示されるように、採光パネル３を囲む枠体６は、上下の横枠材６０と、左右の縦枠材６１とで構成されている。本実施形態では、枠体６の内側に形成された正面視縦長矩形状の開口部が、開通方向を前後方向とした通気開口部２０を構成している。
【００４７】
各パネルユニット５の通気開口部２０は、上縁部が上側の横枠材６０で構成され、下縁部が下側の横枠材６０で構成されている。通気開口部２０の左右の側縁部は、縦枠材６１で構成されている。つまり、通気開口部２０は、両横枠材６０と両縦枠材６１で構成されている。
【００４８】
上側パネルユニット５０の上側の横枠材６０は、左右のドア材２１の上端部同士を連結する上連結材２２０を構成している。下側パネルユニット５１の下側の横枠材６０は、左右のドア材２１の下端部同士を連結する下連結材２２２を構成している。
【００４９】
上連結材２２０及び下連結材２２２（すなわち、各パネルユニット５の中間連結材２２１と反対側に位置する横枠材６０）は、図７に示される金属製のフレーム６２と合成樹脂製の幕板６３を備えている。
【００５０】
上連結材２２０及び下連結材２２２のフレーム６２は、例えばアルミニウム製の押出形材である。上連結材２２０及び下連結材２２２のフレーム６２は左右方向に長い。上連結材２２０及び下連結材２２２のフレーム６２の断面形状は、上下方向において採光パネル３と反対側に開口する溝形（略Ｕ字状）に形成されている。図示は省略するが、断面溝形のフレーム６２の底部における長さ方向の中間部には、上下に貫通する挿通孔が形成されている。
【００５１】
上連結材２２０及び下連結材２２２の幕板６３は、図４に示されるように、フレーム６２の前後面に取り付けられている。各幕板６３は、フレーム６２の長さ方向の両端部を除く部分を覆っている。各幕板６３の表面には、木目模様が施されている。このため、上連結材２２０及び下連結材２２２は、ドア材２１に模した木目調の外観を有している。
【００５２】
各幕板６３は、上下方向においてフレーム６２よりも採光パネル３側に向かって突出している。上連結材２２０及び下連結材２２２の夫々には、各幕板６３の前記突出部分とフレーム６２の底部で構成された、採光パネル３側に開口する凹部２２３が形成されている。
【００５３】
上連結材２２０の凹部２２３には、上側の採光パネル３の上側の遮蔽部３１５が挿入されている。下連結材２２２の凹部２２３には、下側の採光パネル３の下側の遮蔽部３１５が挿入されている。これら遮蔽部３１５は、上下方向において両幕板６３よりも中間連結材２２１側に僅かに突出している。
【００５４】
上側の採光パネル３の上側の軸部３１８は、上連結材２２０の前記挿通孔に通されている。下側の採光パネル３の下側の軸部３１８は、下連結材２２２の前記挿通孔に通されている。これにより、上側の採光パネル３の上側の軸部３１８は、上連結材２２０によって縦軸回りに回動可能に支持され、下側の採光パネル３の下側の軸部３１８は、下連結材２２２によって縦軸回りに回動可能に支持されている。
【００５５】
各パネルユニット５の中間連結材２２１側に位置する横枠材６０（すなわち、上側パネルユニット５０の下側の横枠材６０、及び下側パネルユニット５１の上側の横枠材６０）は、図７に示される左右に長いプレート６４により構成されている。
【００５６】
プレート６４の長さ方向の中間部には、上下に貫通する挿通孔６４０が形成されている。各採光パネル３の中間連結材２２１側の軸部３１８は、対応するプレート６４の挿通孔６４０に通されており、縦軸回りに回動可能に支持されている。すなわち、横枠材６０の挿通孔６４０の周縁部によって、採光パネル３の中間連結材２２１側の軸部３１８を支持する軸受部が構成されている。
【００５７】
各パネルユニット５の枠体６の左右の縦枠材６１は、金属製であって、例えばアルミウム製である。各縦枠材６１の水平断面形状は、上下方向に亘って一様である。
【００５８】
図１４に示されるように、戸先側の縦枠材６１の採光パネル３側の側面は、後方程採光パネル３側に位置するように湾曲又は傾斜している。これにより当該縦枠材６１の後側には、採光パネル３側に向かって突出した突部６１０が形成されている。吊元側の縦枠材６１の採光パネル３側の側面は、前方程採光パネル３側に位置するように湾曲又は傾斜している。これにより、当該縦枠材６１の前側には採光パネル３側に突出した突部６１０が形成されている。
【００５９】
上連結材２２０及び下連結材２２２の夫々のフレーム６２の長さ方向の両側部分には、上下方向における採光パネル３と反対側からビス（不図示）が通されている。上連結材２２０及び下連結材２２２は、これらビスを対応する縦枠材６１にねじ込むことにより、両縦枠材６１に連結されている。
【００６０】
図示は省略するが、各パネルユニット５のプレート６４（中間連結材２２１側の横枠材６０）の長さ方向の両側部分には、上下方向における採光パネル３と反対側からビス（不図示）が通されている。各パネルユニット５のプレート６４は、これらビスを対応する縦枠材６１にねじ込むことで、両縦枠材６１に連結されている。
【００６１】
前述したように、各採光パネル３は、上下の軸部３１８が対応する横枠材６０の挿通孔６４０に通されて縦軸回りに回動可能に支持されており、これにより採光パネル３は回動可能となっている。
【００６２】
図４に示されるように、上連結材２２０及び下連結材２２２の夫々のフレーム６２の両側端部は、対応する縦枠材６１よりも外側方に向かって突出した連結部６５を構成している。これら連結部６５は、各パネルユニット５の枠体６の中間連結材２２１と反対側の端部から外側方に向かって突出している。
【００６３】
パネルユニット５は、中間連結材２２１の上方及び下方の夫々において、左右のドア材２１の間に配置されている。図１４に示されるように、各パネルユニット５の左右の縦枠材６１の採光パネル３と反対側の側端部は、対応するドア材２１の差込溝部２１１に挿入され、嵌め込まれている。
【００６４】
すなわち、本実施形態では、両ドア材２１、上連結材２２０、及び中間連結材２２１で構成された前後方向に貫通する開口部分の両側面に、上側のパネルユニット５の左右の縦枠材６１が設けられている。また、両ドア材２１、下連結材２２２、及び中間連結材２２１で構成された前後方向に貫通する開口部分の両側面に、下側のパネルユニット５の左右の縦枠材６１が設けられている。
【００６５】
各パネルユニット５の左右の縦枠材６１の大部分は、差込溝部２１１よりも内側（採光パネル３側）に向かって突出している。また、両縦枠材６１はドア本体２の厚み内に納められている。このため、両縦枠材６１を目立ち難くすることができ、また、両縦枠材６１を小さくして、材料コストを抑えることができる。
【００６６】
図１２に示されるように、各パネルユニット５の枠体６の左右の連結部６５は、対応するドア材２１の嵌込溝部２１０に嵌め込まれている。
【００６７】
各パネルユニット５は、例えば両ドア材２１が中間連結材２２１で連結された後に、中間連結材２２１の上下に形成された、両ドア材２１の間の空間に、上下方向における中間連結材２２１と反対側から挿入される。このとき、両縦枠材６１は、対応する差込溝部２１１に中間連結材２２１と反対側から挿入される。また、左右の連結部６５は、対応する嵌込溝部２１０に中間連結材２２１と反対側から挿入される。
【００６８】
各パネルユニット５の左右の連結部６５には、上下方向において採光パネル３と反対側からビス７１が通されている。これらビス７１は、対応するドア材２１にねじ込まれている。これにより上側パネルユニット５０の上連結材２２０及び下側パネルユニット５１の下連結材２２２は、両ドア材２１に連結されている。
【００６９】
図７に示された各パネルユニット５のプレート６４は、中間連結材２２１の対応する凹部２２３に挿入され、当該凹部２２３の奥面部に接触している。各パネルユニット５のプレート６４に対向する遮蔽部３１５は、図１５に示されるように中間連結材２２１の対応する凹部２２３に挿入されている。採光パネル３が縦軸回りに回動されたとき、中間連結材２２１の凹部２２３に挿入された遮蔽部３１５は、図１５に示されるように軸部３１８を中心に回動する。なお、これら遮蔽部３１５は、両幕板材４１（凹部２２３）よりも透光板３０側に向かって僅かに突出している。
【００７０】
ところで、採光パネル３をスムーズに回動させるには、遮蔽部３１５とプレート６４の間に僅かな隙間を設ける必要がある。ところが、このような隙間を設けた場合、採光パネル３とプレート６４の間から光漏れが生じる可能性がある。そこで、本実施形態では、遮蔽部３１５が中間連結材２２１の凹部２２３に挿入され、遮蔽部３１５に設けられた軸部３１８が凹部２２３の奥部に設けられたプレート６４の挿通孔６４０の周縁部によって回動可能に支持されている。このため、採光パネル３とプレート６４の間に形成される隙間の前方部及び後方部を凹部２２３の前後の壁部によって覆うことができ、前記光漏れが生じ難くなっている。同様に、上連結材２２０及び下連結材２２２の夫々の凹部２２３に挿入された遮蔽部３１５も、前記光漏れを防止することができる。
【００７１】
図８に示されるように、採光パネル３において、上下方向の両端部に位置する遮蔽部３１５の間の部分、すなわち、パネル部３３は、透光板３０、両縦枠３１０、及び両横枠３１１の固定部３１４で構成された部分は、略縦長板状のパネル部３３を構成している。両遮蔽部３１５とパネル部３３（各横枠３１１の固定部３１４）は、正面から見たときの左右長さが略同じである。
【００７２】
図１３（ｂ）に示されるように、採光パネル３が開位置に配置されたときには、各横枠３１１の遮蔽部３１５は、戸先側が前方、吊元側が後方に位置するように、その長さ方向がドア本体２の幅方向に対して傾く。また、採光パネル３のパネル部３３は、ドア本体２の幅方向に対して遮蔽部３１５よりもさらに大きく傾く。
【００７３】
また、採光パネル３が開位置に配置されたとき、採光パネル３のパネル部３３は、ドア本体２よりも前後方向の外側に突出する。このため、開位置に配置された採光パネル３は、操作しやすくなっている。また、採光パネル３が開位置に配置されたときに、通気開口部２０を大きく開放して効率よく部屋の換気を行うことが可能になっている。
【００７４】
図１２に示されるように、上連結材２２０及び下連結材２２２の夫々のフレーム６２には、付加ユニット８が内装されている。各付加ユニット８は、断面溝形のフレーム６２に収納され、フレーム６２の底部に沿って配置されている。
【００７５】
図３に示されるように、上連結材２２０及び下連結材２２２の夫々のフレーム６２には、付加ユニット８をフレーム６２に固定するための固定具９が収納されている。各固定具９には、上下方向において採光パネル３と反対側に突出した溝形（断面略Ｕ字状）の嵌込部９０が形成されている。嵌込部９０には付加ユニット８が嵌め込まれている。
【００７６】
固定具９の左右両端部には、採光パネル３と反対側からビス７２が通されている。これらビス７２は、フレーム６２を通して対応するドア材２１にねじ込まれている。これにより固定具９は両ドア材２１に固定されている。両ドア材２１に固定された固定具９は、付加ユニット８を採光パネル３側に押圧している。これにより、付加ユニット８は、フレーム６２に対して固定されている。
【００７７】
上側の採光パネル３の上側の軸部３１８は、上連結材２２０に設けられた付加ユニット８に回動可能に支持されている。下側の採光パネル３の下側の軸部３１８は、下連結材２２２に設けられた付加ユニット８に回動可能に支持されている。
【００７８】
両付加ユニット８は上下対称である。図１０及び図１１には、上連結材２２０に設けられる付加ユニット８が示されている。
【００７９】
各付加ユニット８は、ケーシング８０、アーム８１、ダンパー８２、付勢部材８３、押圧体８４、及び可動体８５を備えている。アーム８１、ダンパー８２、付勢部材８３、押圧体８４、及び可動体８５は、ケーシング８０に内装されている。
【００８０】
付加ユニット８の外殻となるケーシング８０は、左右に長い矩形箱状に形成されている。上側の付加ユニット８のケーシング８０は、その長さ方向を上連結材２２０の長さ方向と平行にして上連結材２２０に内装されている。下側の付加ユニット８のケーシング８０は、その長さ方向を下連結材２２２の長さ方向と平行にして下連結材２２２に内装されている。すなわち、各付加ユニット８は、通気開口部２０の開口縁部に沿って設けられている。
【００８１】
ケーシング８０は、採光パネル３側に位置する板状のベース８００と、採光パネル３側に開口した箱状でベース８００に被せ付けられるカバー８０１とで構成されている。
【００８２】
図１１に示されるように、ベース８００の内面には、平面視略扇状（略三角形状）の凹所８０２が形成されている。凹所８０２の内周面の一部は、水平断面形状が戸先側に開いた略Ｖ字状の回動規制面８０３を構成している。凹部２２３の底部における吊元側の端部には、ベース８００を上下に貫通する貫通孔８０４が形成されている。
【００８３】
上側の採光パネル３の上側の軸部３１８は、上連結材２２０の前記挿通孔を通して上連結材２２０内の付加ユニット８の貫通孔８０４に通され、当該付加ユニット８の凹所８０２内に突出している。これにより、当該軸部３１８は、上側の付加ユニット８により回動可能に支持されている。すなわち、本実施形態では、上側の付加ユニット８の貫通孔８０４の周縁部と、上連結材２２０の前記挿通孔の周縁部とが、上側の採光パネル３の上側の軸部３１８を受ける軸受部を構成している。
【００８４】
下側の採光パネル３の下側の軸部３１８は、下連結材２２２の挿通孔を通して下連結材２２２内の付加ユニット８の貫通孔８０４に挿通され、当該付加ユニット８の凹部２２３内に突出している。これにより、当該軸部３１８は、下側の付加ユニット８により回動可能に支持されている。すなわち、本実施形態では、下側の付加ユニット８の貫通孔８０４の周縁部と、下連結材２２２の挿通孔の周縁部とが、下側の採光パネル３の下側の軸部３１８を受ける軸受部となっている。
【００８５】
ベース８００の凹所８０２には、アーム８１が配置されている。アーム８１の長さ方向の一端部には、上下に貫通した連結孔８１０が形成されている。連結孔８１０には、採光パネル３の中間連結材２２１と反対側の軸部３１８が挿入され、当該軸部３１８はアーム８１に対して固定されている。これにより、アーム８１は、採光パネル３の軸部３１８と共に回動するようになっている。
【００８６】
アーム８１の軸部３１８を中心とする回動の範囲は、凹所８０２の回動規制面８０３によって規制されている。採光パネル３の回動範囲は、回動規制面８０３によって、図１４（ａ）に示される閉位置から図１４（ｂ）に示される開位置までの範囲に制限されている。つまり、本実施形態では、付加ユニット８の回動規制面８０３が、採光パネル３の回動範囲を規制する回動規制手段を構成している。
【００８７】
採光パネル３が閉位置に配置されたとき、アーム８１は、図１６（ａ）に示されるように回動規制面８０３の後側の面に当接し、それ以上後側に回動することができなくなる。また、採光パネル３が開位置に配置されたとき、アーム８１は、図１６（ｃ）に示されるように回動規制面８０３の前側の面に当接し、それ以上前側に回動することができなくなる。これにより、採光パネル３は、通気開口部２０を閉じる閉位置から通気開口部２０を開放する開位置までの範囲でのみ回動できるようになっている。
【００８８】
図１４（ａ）に示されるように、閉位置に配置された採光パネル３は、ドア本体２の幅方向と平行になり、ドア本体２の厚みの範囲内に納められる。このように採光パネル３が閉位置に配置されると、通気開口部２０の略全体が採光パネル３で閉塞される。この場合、通気開口部２０による換気は行われない。また、このように採光パネル３が閉位置に配置された場合、採光パネル３の両側の側端部は、対応する縦枠材６１の突部６１０と前後方向から見て重なる。このため、採光パネル３を閉じた状態では、ドア１を前後方向から見たときに、通気開口部２０を通してドア１の反対側が見え難くなっている。
【００８９】
閉位置に配置された採光パネル３と、通気開口部２０の両側の内側面（両縦枠材６１）の間には、隙間４３が形成されるようになっている。この隙間４３は冷気が漏れない程度の僅かな隙間である。
【００９０】
図１４（ｂ）に示されるように、開位置に配置された採光パネル３は、両縦枠材６１の採光パネル３側の側面と大略平行になり、ドア本体２の幅方向に対して傾斜する。このように採光パネル３が開位置に配置されると、通気開口部２０は開放され、通気開口部２０を通じて部屋の換気が行われる。
【００９１】
図１１に示されるように、アーム８１の連結孔８１０と反対側の端部には、採光パネル３と反対側に突出した連動部８１１が設けられている。連動部８１１は、採光パネル３の回動中心よりも戸先側にずれた位置に配置されている。連動部８１１は円筒状に形成されており、水平断面円形の外周面を有している。連動部８１１は、採光パネル３が縦軸回りに回動したとき、軸部３１８を中心にしてアーム８１と共に回動する。
【００９２】
図１６に示されるように、付勢部材８３は連動部８１１の戸先側に配置されている。付勢部材８３は左右方向（すなわち、通気開口部２０の開口縁部に沿う方向）に長く伸縮方向が左右方向と平行なコイルばねである。
【００９３】
付勢部材８３の吊元側端部には、押圧体８４が取り付けられている。押圧体８４は連動部８１１と左右方向において並べて配置されている。押圧体８４は、左右方向に移動可能である。付勢部材８３は戸先側がカバー８０１によって支持されている。付勢部材８３は押圧体８４を常時吊元側（連動部８１１側）にばね付勢している（弾性力を付与している）
押圧体８４の吊元側に臨む面は、連動部８１１を押圧する押圧面８４０を構成している。押圧面８４０は、第一面部８４１と第一面部８４１よりも前側の第二面部８４２とを備えている。第一面部８４１は、後方程戸先側に位置するように傾斜している。第二面部８４２は前方程戸先側に位置するように傾斜している。
【００９４】
押圧面８４０はさらに中間面部８４３を備えている。中間面部８４３は、水平断面形状が吊元側に突出した弧状であり、第一面部８４１と第二面部８４２を連続させている。第一面部８４１は第二面部８４２よりも前後方向の長さが長い。中間面部８４３は第一面部８４１、第二面部８４２、及び中間面部８４３で構成された押圧面８４０において前寄りの位置に形成されている。
【００９５】
各採光パネル３が閉位置に配置された状態では、対応するアーム８１の連動部８１１は、図１６（ａ）に示されるように、第一面部８４１の後端部に当たって接する。この連動部８１１は、付勢部材８３により付勢された押圧体８４の第一面部８４１によって後側に押圧される。このため、アーム８１は、回動規制面８０３の後側の面に押し付けられ、採光パネル３は閉位置で保持される。
【００９６】
閉位置に配置された採光パネル３は、ドア１の前方に利用者が居る場合、利用者が採光パネル３の軸部３１８よりも吊元側の部分を指等で後方に押し込むことで開位置まで回動させることができる。また、ドア１の前方に居る利用者は、採光パネル３の前面に設けられた指掛部３１７に指を掛けて前方に引くことでも、採光パネル３を開位置まで回動させることができる。
【００９７】
さらに、閉位置に配置された採光パネル３は、ドア１の後方に利用者が居る場合、利用者が採光パネル３の軸部３１８よりも戸先側の部分を指等で前方に押し込むことで開位置まで回動させることができる。また、ドアの後方に居る利用者は、採光パネル３の後面に設けられた指掛部３１７に指を掛けて後方に引くことでも、採光パネル３を開位置まで回動させることができる。
【００９８】
利用者が、前記のように閉位置に配置された採光パネル３を開き方向（平面視左回り）に回動させると、アーム８１は軸部３１８を中心にして前側に回動する。これに伴い、連動部８１１は押圧体８４を付勢部材８３の付勢力に抗して戸先側に押し込みながら前側に移動し、押圧体８４の中間面部８４３を乗り越える。そして、採光パネル３が開位置に配置された時点で、連動部８１１は図１６（ｃ）に示されるように第二面部８４２に接する。このように採光パネル３が開位置に配置された状態では、連動部８１１が付勢部材８３により吊元側に付勢された押圧体８４の第二面部８４２によって前側に押圧される。このため、アーム８１は回動規制面８０３の前側の面に押し付けられ、採光パネル３は開位置で保持される。
【００９９】
開位置に配置された採光パネル３は、ドア１の前方に利用者が居る場合、利用者が採光パネル３の軸部３１８よりも戸先側の部分を指等で後方に押し込むことで閉位置まで回動させることができる。また、ドアの前方に居る利用者は、採光パネル３の前面に設けられた指掛部３１７を指で摘まんで後方に押し込むことでも、採光パネル３を閉位置まで回動させることができる。
【０１００】
さらに、開位置に配置された採光パネル３は、ドア１の後方に利用者が居る場合、利用者が採光パネル３の軸部３１８よりも吊元側の部分を指等で前方に押し込むことで開位置まで回動させることができる。また、ドアの後方に居る利用者は、採光パネル３の後面に設けられた指掛部３１７を指で摘まんで前方に押し込むことでも、採光パネル３を開位置まで回動させることができる。
【０１０１】
利用者が開位置に配置された採光パネル３を閉方向（平面視右回り）に回動させると、アーム８１は軸部３１８を中心にして後側に回動する。これに伴い、連動部８１１は押圧体８４を付勢部材８３の付勢力に抗して戸先側に押し込みながら後側に移動し、押圧体８４の中間面部８４３を乗り越える。そして、採光パネル３が所定開き角度まで閉じられた時点で、連動部８１１は第一面部８４１の前端部に当たる。このように連動部８１１が第一面部８４１の前端部に至ると、付勢部材８３により吊元側に付勢された押圧体８４の第一面部８４１によって連動部８１１が後側に押し動かされ、アーム８１は軸部３１８を中心に後側に回動する。この付勢部材８３によるアーム８１の回動は、連動部８１１が第一面部８４１の後端部に至ってアーム８１が回動規制面８０３の後側の面に当たるまで、すなわち、採光パネル３が閉位置に配置されるまで行われる。これにより、所定開き角度まで閉じられた採光パネル３は、付勢部材８３の付勢力によって閉位置まで自動的に回動するようになっている。
【０１０２】
押圧体８４、及び連動部８１１が設けられたアーム８１は、付勢部材８３のドア本体２の幅方向と平行な付勢力の向きを採光パネル３の回動方向の成分を含む向きに変換した上で、付勢部材８３の付勢力を採光パネル３に伝える付勢力伝達部を構成している。このため、本実施形態のように付勢部材８３としてドア本体２の幅方向に長いコイルばね等を利用した場合に、付勢部材８３をドア本体２の厚みの範囲内に納めやすくなっている。
【０１０３】
各付加ユニット８のダンパー８２は、連動部８１１の吊元側に配置されている。各付加ユニット８のダンパー８２は、伸縮式のダンパーである。詳しくは、ダンパー８２は、ピストン８２０がシリンダー８２１側に押し込まれる方向に移動するときに減衰力を作用させ、且つピストン８２０が伸長状態となる原点に自動で復帰する自動復帰機能を備えたワンウェイ式のオイルダンパーである。
【０１０４】
各付加ユニット８のダンパー８２は、ピストン８２０を戸先側に突出した状態で配置されている。各付加ユニット８のピストン８２０の先端部には、可動体８５が取り付けられている。各付加ユニット８の可動体８５は、連動部８１１と左右方向において並べて配置されている。各付加ユニット８の可動体８５の戸先側の面は、連動部８１１が接触する接触面８５０を構成している。接触面８５０は、前方程吊元側に位置するように傾斜している。
【０１０５】
採光パネル３が開位置に配置された状態では、図１６（ｃ）に示されるように、ダンパー８２が伸長し、連動部８１１が可動体８５の接触面８５０の前側に配置される。開位置に配置された採光パネル３が利用者によって閉位置まで回動させられると、アーム８１の回動に伴って連動部８１１が可動体８５を吊元側に押し込みながら接触面８５０の後側に移動する。このとき、可動体８５と共に吊元側に移動するピストン８２０に対して減衰力が作用する。これにより採光パネル３の閉方向の回動動作がダンパー８２によって緩衝される。従って、採光パネル３が勢いよく閉じられて大きな音が発生したり、採光パネル３やこれを受ける部材が変形したり破損したりすることを防止できる。また、採光パネル３が閉じられるときに、採光パネル３と通気開口部２０の側面の間に指等が強く挟まれることも防止することができる。
【０１０６】
採光パネル３が利用者によって開位置まで回動させられると、アーム８１の回動に伴って連動部８１１が前側に移動する。この際、可動体８５はダンパー８２の復帰力によって連動部８１１に追従して戸先側に移動し、図１６（ｃ）に示す状態となる。
【０１０７】
連動部８１１が設けられたアーム８１、及び可動体８５は、採光パネル３の回動動作をピストン８２０のドア本体２の幅方向と平行な動作に変換する動作変換部を構成する。このため、本実施形態のようにドア本体２の幅方向に長いダンパー８２を利用して、ダンパー８２をドア本体２の厚みの範囲内に納めることが可能になる。
【０１０８】
戸先側のドア材２１の前後両面には、取手として図２に示されるレバーハンドル７３（レバー型ドアノブ）が設けられている。各レバーハンドル７３は、戸先側のドア材２１に取り付けられており、上下方向において両通気開口部２０の境界部である中間連結材２２１と同じ位置に配置されている。
【０１０９】
各レバーハンドル７３は、一端部が戸先側のドア材２１に対して前後軸回りに回動可能となるレバー部７３０を有している。レバー部７３０を回動することで、ドア１を開く際にドア本体２に設けられたラッチ７３１を操作できるようになっている。
【０１１０】
レバー部７３０は、図２に実線で示される非回動位置（非使用位置）から図２に二点鎖線で示される回動位置までの範囲で回動可能となっている。
【０１１１】
前記非回動位置に配置されたレバー部７３０は、水平になる。前記回動位置に配置されたレバー部７３０は、吊元側斜め下方に向かって突出する。また、レバー部７３０は、例えば付勢部材によって回動位置から非回動位置に自動的に復帰される。また、レバー部７３０の回動範囲は、中間連結材２２１の上下幅内に納められている。
【０１１２】
以上説明した本実施形態のドア１は、ドア本体２と、縦長で透光性を有する採光パネル３を備えている。ドア本体２には、その厚み方向に貫通する縦長の通気開口部２０が設けられている。また、採光パネル３が通気開口部２０を閉じる閉位置と通気開口部２０を開く開位置との間で縦軸回りに回動可能に設けられている。採光パネル３はその幅方向における一端側の部分を後側に押し操作することで閉位置から開位置側に回動されるものである。採光パネル３の前記一端側とは反対側の部分には、前側に引き操作するための指掛部３１７が設けられている。
【０１１３】
このドア１は採光パネル３を透して部屋に光を採り入れることができる。また、利用者は、例えば閉位置に配置された採光パネル３の幅方向における一端側の部分を後側に押し操作することで、採光パネル３を開位置に配置することができる。このように採光パネル３が開位置に配置されると、通気開口部２０を通して部屋の換気が行われる。また、利用者は、例えば開位置に配置された採光パネル３の幅方向における前記一端側とは反対側となる部分を後側に押し操作することで、採光パネル３を閉位置に配置することができる。このように採光パネル３が閉位置に配置されると、通気開口部２０を塞いで換気を行わないようにすることができる。すなわち、本実施形態のドア１は、透光性を有する採光パネル３を通気開口部２０を開閉する部材として用いることにより、通気機能と採光機能の両者を有することができる。このため、通気機能と採光機能の両機能を確保しながら、ドア１の外観をシンプルにすることができ、また、ドア１の構造を簡単にすることができる。
【０１１４】
また、採光パネル３を縦軸回りに回動自在に設けたことで、横軸回りに回動自在に設けた場合と比較して、採光パネル３の上方を向く面の面積が小さくなり、採光パネル３に埃やごみ等が付き難くなる。また、これにより採光パネル３を透して部屋に光を取り入れるときに、採光パネル３に積もった埃やごみ等が影となって映り難くなる。また、縦軸回りに回動自在な採光パネル３を縦長にすることにより、開位置に配置された採光パネル３と通気開口部２０の両側面の間に形成される通気用の空間を大きくして十分な通気量を確保することもできる。
【０１１５】
また、ドア１の前方に居る利用者は、採光パネル３の前記後方に押し操作される側とは反対側の部分に設けられた指掛部３１７に指を掛けて手前に引くことでも、閉位置に配置された採光パネル３を開位置側に回動させることができる。また、このように指掛部３１７を利用して採光パネル３を回動させた場合、採光パネル３の透光性を有する部分が汚れ難いといった利点もある。すなわち、閉位置に配置された採光パネル３を開位置側に回動させるにあたって、採光パネル３を指で押し込んで回動させると、採光パネル３の透光性を有する部分（透光板３０）が指で汚れる可能性がある。しかし、前記のように指掛部３１７を利用して採光パネル３を回動させた場合には、このような事態が生じ難くなる。
【０１１６】
また、本実施形態のように、通気開口部２０がドア本体２に上下に並べて設けられ、採光パネル３が各通気開口部２０に夫々設けられ、指掛部３１７が上側の採光パネル３の下端部と下側の採光パネル３の上端部とに設けられることが好ましい。このようにすることで、両採光パネル３に設けられた指掛部３１７を近い位置に配置することができる。このため、利用者は指掛部３１７を利用して両採光パネル３を容易に開くことが可能になる。
【０１１７】
また、この場合、本実施形態のように、ドア１の取手であるレバーハンドル７３が、上側の採光パネル３の下端部と下側の採光パネル３の上端部とに設けられた指掛部３１７の近傍に設けられることが好ましい。このようにすることで、ドア１の一か所に、上側の採光パネル３を回動するための指掛部３１７、下側の採光パネル３を回動するための指掛部３１７、及び取手となるレバーハンドル７３をまとめて配置して、使い勝手を良くすることができる。
【０１１８】
また、採光パネル３は、本実施形態のように、縦長で透光性を有する透光板３０と、透光板３０の縁部に設けられた縁材（横枠３１１）とを備え、指掛部３１７が縁材に設けられることが好ましい。このようにすることで、利用者は、縁材に設けられた指掛部３１７に指を掛けて手前に引くことで、閉位置にある採光パネル３を開方向に回動することができ、透光性を有する透光板３０が指で汚され難くなる。
【０１１９】
（第二実施形態）
次に前記実施形態とは異なる第二実施形態について説明する。なお、以下の説明では、第一実施形態と共通の機能を有する構成要素については、第一実施形態と同じ名称及び同じ符号を用いて説明し、第一実施形態で説明した事項と重複する事項については説明を省略する。
【０１２０】
第一実施形態では、各付加ユニット８アーム８１の回動範囲を規制することで、採光パネル３の回動範囲を規制した。しかし、本実施形態では、回動規制面８０３とその他の手段、またはその他の手段のみで、採光パネル３の回動範囲を規制しても構わない。
【０１２１】
前記その他の手段としては、例えば図１７に示されるように採光パネル３の遮蔽部３１５を利用して、採光パネル３の回動範囲を制限する方法があり、以下、これについて説明する。
【０１２２】
図１７に示されるように、遮蔽部３１５は、平面視でその長さ方向と平行な中心線に対して略対称な六角形状に形成されている。遮蔽部３１５の長さ方向の両端部は、長さ方向の外側に行く程幅が徐々に小さくなっている。
【０１２３】
遮蔽部３１５の長さ方向の両端部の前後面は、平面視で遮蔽部３１５の長さ方向に対して傾斜した規制部３１９となっている。このうち、遮蔽部３１５の吊元側且つ前側の規制部３１９及び戸先側且つ後側の規制部３１９は、採光パネル３が図１４（ａ）に示される閉位置に配置されたときに、図１７に実線で示されるようにドア本体２の幅方向と平行になる。また、遮蔽部３１５の戸先側且つ前側の規制部３１９及び吊元側且つ後側の規制部３１９は、採光パネル３が図１４（ｂ）に示される開位置に配置されたときに、図１７に二点鎖線で示されるように、ドア本体２の幅方向と平行になる。
【０１２４】
遮蔽部３１５は、規制部３１９が対応する凹部２２３の内面に当接することで、軸部３１８回りの回動の範囲が規制される。すなわち、採光パネル３が閉位置まで回動されると、遮蔽部３１５は、図１７中実線で示されるように吊元側且つ前側の規制部３１９が凹部２２３の前面に当たり、戸先側且つ後側の規制部３１９が凹部２２３の後面に当たる。また、採光パネル３が開位置まで回動されると、遮蔽部３１５は、図１７中二点鎖線で示されるように戸先側且つ前側の規制部３１９が凹部２２３の前面に当たり、吊元側且つ後側の規制部３１９が凹部２２３の後面に当たる。同様に、各採光パネル３の中間連結材２２１と反対側の横枠３１１が有する遮蔽部３１５も、規制部３１９が対応する連結材２２０、２２２の凹部２２３の内面に当たることで、その回動範囲が規制される。従って、採光パネル３は、閉位置から開位置までの範囲でのみ回動できるようになる。
【０１２５】
各採光パネル３は、上下の遮蔽部３１５が対応する凹部２２３によって回動範囲が規制されるものであってもよいし、上下いずれか一方の遮蔽部３１５のみが対応する凹部２２３によって回動範囲が規制されるものあってもよい。
【０１２６】
なお、第一実施形態の採光パネル３にあっては、第二実施形態の採光パネル３と比較して以下の利点を有している。すなわち、第一実施形態の採光パネル３が閉位置まで回動されたときには、図１５中実線で示されるように遮蔽部３１５の吊元側且つ前側の規制部３１９が凹部２２３の前面に僅かな隙間を介して対向する。この際、戸先側且つ後側の規制部３１９も凹部２２３の後面に僅かな隙間を介して対向する。また、採光パネル３が開位置まで回動されると、遮蔽部３１５は、図１５中二点鎖線で示されるように戸先側且つ前側の規制部３１９が凹部２２３の前面に僅かな隙間を介して対向する。この際、吊元側且つ後側の規制部３１９が凹部２２３の後面に僅かな隙間を介して対向する。従って、組立誤差等により採光パネル３の位置に多少のばらつきが生じた場合にも、閉位置に配置された採光パネル３をドア本体２の幅方向と平行に配置することが可能になる。
【０１２７】
（第三実施形態）
次に前記実施形態とは異なる第三実施形態について説明する。なお、以下の説明では、第一実施形態と共通の機能を有する構成要素については、第一実施形態と同じ名称及び同じ符号を用いて説明し、第一実施形態で説明した事項と重複する事項については説明を省略する。
【０１２８】
本実施形態では、図１８に示されるように、各採光パネル３の横枠３１１の遮蔽部３１５、及び各連結材２２の凹部２２３を省略している。
【０１２９】
なお、前記各実施形態におけるドア材２１の芯材２３は、水平断面矩形状の板であってもよい。また、前記各実施形態におけるドア材２１は無垢材等であってもよい。
【０１３０】
また、前記各実施形態では、通気開口部２０及び採光パネル３をドア本体２の戸先側に設けたが、吊元側やドア本体２の幅方向中心部に設けてもよい。また、通気開口部２０及び採光パネル３は、ドア本体２に１つだけ設けてもよいし、３つ以上設けてもよい。
【０１３１】
また、前記各実施形態における中間連結材２２１の板材４０は、木製に限られず、金属製や合成樹脂製であってもよい。また、中間連結材２２１は、板材４０に幕板材４１を取り付けたものに限られず、無垢材等であってもよい。
【０１３２】
また、前記各実施形態における透光板３０は、合わせガラスに限られず、一枚の板ガラスであってもよい。また、透光板３０は、アクリル樹脂等のその他の透明な材料で形成されてもよい。
【０１３３】
また、前記各実施形態の指掛部３１７は上下方向における中間連結材２２１側と反対側の横枠３１１や、縦枠３１０に設けられてもよい。また、指掛部３１７の形状は前記各実施形態のものに限られない。例えば指掛部３１７は指を掛けるための凹所であってもよい。
【０１３４】
また、前記各実施形態の各パネルユニット５の軸部３１８の軸心は、透光板３０の幅方向において中心よりもやや外側にずれた位置にあってもよい。
【０１３５】
また、前記各実施形態の上連結材２２０及び下連結材２２２の夫々が有するフレーム６２は、断面枠状の中空形材であってもよい。また、上連結材２２０及び下連結材２２２は、フレーム６２と幕板６３で構成されるものに限られず、例えば木製であってもよい。
【０１３６】
また、前記各実施形態の各パネルユニット５の各縦枠材６１は、金属製に限られず、例えば合成樹脂製や木製であってもよい。
【０１３７】
また、前記各実施形態では、連動部８１１を採光パネル３の回動中心よりも戸先側に配置したが、吊元側に配置してもよい。すなわち、この場合は、各付加ユニット８が本実施形態のものと左右対称なものとなる。また、付勢部材８３はコイルばね以外の弾性体であってもよい。また、ダンパー８２もオイルダンパーやシリンダーダンパーに限られるものではなく、ロータリーダンパー等、従来から知られている他のダンパーを用いてもよい。
【０１３８】
また、前記各実施形態では、本発明を開き戸に適用した例について説明したが、開き戸以外の他のドアにも適用可能である。前記他のドアとしては、引き戸（間仕切りとして用いられるものも含む）や、クローゼットや押し入れ等の収納の前面に設けられる収納用建具等が挙げられる。
【０１３９】
また、この他、本発明は上述した各実施形態に限定されるものではなく、本発明の趣旨を逸脱しない範囲内で適宜設計変更可能である。
【符号の説明】
【０１４０】
１  ドア
２  ドア本体
２０  通気開口部
３  採光パネル
３０  透光板
３１１  横枠（縁材）
３１７  指掛部
【図１】
2015098712.tif 000003
【図２】
2015098712.tif 000004
【図３】
2015098712.tif 000005
【図４】
2015098712.tif 000006
【図５】
2015098712.tif 000007
【図６】
2015098712.tif 000008
【図７】
2015098712.tif 000009
【図８】
2015098712.tif 000010
【図９】
2015098712.tif 000011
【図１０】
2015098712.tif 000012
【図１１】
2015098712.tif 000013
【図１２】
2015098712.tif 000014
【図１３】
2015098712.tif 000015
【図１４】
2015098712.tif 000016
【図１５】
2015098712.tif 000017
【図１６】
2015098712.tif 000018
【図１７】
2015098712.tif 000019
【図１８】
2015098712.tif 000020